(57)【要約】【課題】  強度及び剛性に優れた錠箱を提供する。【解決手段】  錠箱の身１と蓋２とを夫々一面が開いた浅い箱状に成形し、フロント板に対向する前面板６１、６２を除くコ字形の開口端縁を相互に接合させて錠箱を構成するものにおいて、前面板にはフロント板を貫通して出没する部材が通る切欠を形成し、また、前面板の高さ及び形成位置を、上記コ字形の開口端縁が相互に接合した状態において重合して接合できるように設定し、一方、相互に重合した前面板の少なくとも１個所を結合した後、前面板とフロント板とを結合する。【選択図】  図６
2005139684.tif 000002
【特許請求の範囲】
【請求項１】
錠箱の身と蓋とを、錠箱の側板となる部分を底面とし、夫々一面が開いた浅い箱状に成形し、これら身と蓋とを夫々の開口を対向させ、フロント板に対向する前面板を除くコ字形の開口端縁を相互に接合させて錠箱を構成するものであって、上記前面板には、フロント板を貫通して出没する部材が通る切欠を形成すると共に、前面板の底面からの高さ及び形成位置を、上記コ字形の開口端縁が相互に接合した状態において重合して接合できるように設定し、一方、相互に重合する前面板の少なくとも１ヵ所においてこれらを結合した後、前面板とフロント板とを相互に接合させてこれらを複数箇所で結合したことを特徴とする錠箱の構造。
【請求項２】
上記前面板同志の結合、及び前面板とフロント板との結合がねじ結合である請求項１記載の錠箱の構造。
【請求項３】
上記身及び蓋のコ字形の開口端縁の一方の少なくとも１ヵ所に突起を形成し、この突起に対向する他方の開口端縁にこれと係合する係合切欠を形成した請求項１または２に記載の錠箱の構造。
【発明の詳細な説明】
【技術分野】
【０００１】
この発明は、錠箱の構造に係り、特に、強度及び剛性を高め安全性を向上させた錠箱の構造に関する。
【背景技術】
【０００２】
錠箱は、例えば下記特許文献１に示すように、通常、身（み）１、蓋２及びフロント板３を一体的に結合してなる（図１参照）。なお、図１において符号４はボルト孔を示す。
【０００３】
上記蓋２は単なる板材であり、身１の図１における底面に植設された複数の図示しない支柱を介して身１の上面開口を覆うようにねじ止めされる。
【０００４】
また、身１は、例えば矩形の板材の３辺を折曲げて、上面及びフロント板３に対向する前面を開口させた浅い箱状に成形され、その前面開口端縁を外側に拡開するように折曲げて一対の連結片５、５を形成し、これらの連結片５、５をフロント板３に接合させた状態で、ねじ止め又はかしめによりこれらを結合する。
【０００５】
しかしながら、上記した構造の錠箱は、施錠時はフロント板が露出する扉の自由側端縁が扉枠によって隠されるにしても、破錠の目的で、扉外面に露出するシリンダ錠取付部を介して暴力的な外力を受ける場合がある。
【０００６】
この場合、錠箱の強度が足りないと錠箱が破壊され、内部の錠止部材を操作される可能性が無いとは言えず、また、錠箱そのものは破壊されないとしても、剛性不足のため錠箱の厚さ方向に揺動する可能性もあり、このときボルトとストライク板との係合の度合いが小さいと、ボルトがボルト孔から抜け出て扉が開いてしまうことも考えられる。
【特許文献１】実開平７−１１６７８号公報
【発明の開示】
【発明が解決しようとする課題】
【０００７】
そこで、この発明は、強度及び剛性に優れた錠箱を提供し、もって上記した不都合を解消すると共に、錠前の安全性を向上させることを目的としている。
【課題を解決するための手段】
【０００８】
上記の目的を達成するため、この発明は、錠箱の身と蓋とを、錠箱の側板となる部分を底面とし、夫々一面が開いた浅い箱状に成形し、これら身と蓋とを夫々の開口を対向させ、フロント板に対向する前面板を除くコ字形の開口端縁を相互に接合させて錠箱を構成するものであって、上記前面板には、フロント板を貫通して出没する部材が通る切欠を形成すると共に、前面板の底面からの高さ及び形成位置を、上記コ字形の開口端縁が相互に接合した状態において重合して接合できるように設定し、一方、相互に重合する前面板の少なくとも１ヵ所においてこれらを結合した後、前面板とフロント板とを相互に接合させてこれらを複数箇所で結合したことを特徴とする。
【発明の効果】
【０００９】
上記のように構成されたこの発明は、身と蓋とを共に浅い箱状に成形し、これらの開口端縁を相互に接合させるようにして錠箱を構成したから、蓋が板状である従来の錠箱と比較して剛性が格段に向上する。
【００１０】
また、身と蓋のフロント板に対向する側の前面板を相互に重合させて少なくとも１ヵ所で結合すると共に、錠箱の前部を、重合された前面板を介してフロント板に結合するようにしたので、強度も向上する。
【発明を実施するための最良の形態】
【００１１】
身と蓋とを浅い箱状に等成形し、これらの開口端縁を相互に接合させるようにして錠箱を構成すると共に、身と蓋のフロント板に対向する前面板を相互に重合させてフロント板に結合することにより、錠箱の剛性と強度とを格段に高めた。
【実施例１】
【００１２】
以下、この発明の実施例を図２乃至図８を参照して説明する。
図２乃至図４において符号１は錠箱の身を示し、、この身１は、錠箱の一方の側面となる矩形部分を底面１ａとし、その上片１ｂ、後片（図２で右辺）１ｃ、下片１ｄ及び前面板６１を夫々手前側に折曲げて一面が開いた浅い箱状に成形されている。
【００１３】
一方、図５及び図６において符号２は錠箱の蓋を示し、この蓋２は上記身と同様に、錠箱の他方の側面となる矩形部分を底面２ａとし、その上片２ｂ、後片（図２で右辺）２ｃ、下片２ｄ及び前面板６２を夫々図で向う側に折曲げて一面が開いた浅い箱状に成形されている。
【００１４】
そして、この発明による錠箱は、これら身１と蓋２との開口を相互に対向させると共に、上片１ｂ、２ｂ、後片１ｃ、２ｃ及び下片１ｄ、２ｄの端縁を相互に接合させるようにして結合される。
【００１５】
但し図示の実施例では、上、下片及び後片の底面からの高さは一様ではなく、後片１ｃ、２ｃの中央部を除く他の部分は底面１ａ、２ａからの高さが一様かつ同じであり、この他の部分の端縁が相互に接合して結合されたとき、側板となる底面１ａ、２ａの間隔が所定の値になるように設定されている。
【００１６】
一方、身１の後片１ｃの中央部、及び上、下片１ｂ、１ｄの前方部分（図２及び図３で左側の部分）は、その底面１ａからの高さが他の部分の約２倍になって突起（付番せず）が形成されており、これに対応して、この高さが２倍になっている部分に対向する蓋２の後片２ｃの中央部、及び上、下片２ｂ、２ｄの前方部分（図５で左側の部分）は、切り欠かれて係合切欠（付番せず）が形成されている。
【００１７】
また、蓋の上、下片２ｂ、２ｄの一部には、付番しない小突起が形成されており（図６参照）、これに対応して、身の上、下片１ｂ、１ｄの一部には、付番しない浅い係合切欠（図３参照）が形成されている。
【００１８】
これは、身１と蓋２とを結合するとき、これら突起と係合切欠とを相互に係合させて、相互の関係位置の設定を容易にするためである。
【００１９】
また、身の前面板６１と蓋の前面板６２は、デッドボルト７及びラッチボルト８等（図７参照）錠箱及びフロント板３を貫通して出没する部材との干渉を避けるため、その中央部が切り欠かれ、その結果、これらの前面板６１、６２は夫々上下に分割されている。
【００２０】
更にまた、図示の実施例では、蓋２の前面板と後片２ｃとの間隔が、身１のそれと比較して、身の前面板の厚さぶん小さく設定されている。
【００２１】
換言すれば、身１と蓋２とが組み合わされたとき、図７に示すように、身と蓋の前面板６１及び６２が相互に接合できる。
【００２２】
なお、図示の実施例では、蓋２の上下二つに分割された前面板６２、６２が共に身１の前面板６１、６１の後方に位置するように、換言すれば、錠箱が組み立てられたとき身１の前面板の内側に位置するようにその形成位置が設定されているが、これは、前面板６１と６２が前後方向において交互に表側になるように形成しても良いことは勿論である。
【００２３】
但し、このときには、錠箱のうち側になった前面板に後述するバーリング加工をするものとする。
【００２４】
また、上記身と蓋とが組み合わさせたとき各々の前面板６１及び６２が相互に接合できるようにするため、これらの底板１ａ、２ａからの高さは、他方の底板に接合するか、或いは僅かの隙間を保ってこれに近接するように設定されている。
【００２５】
他方、図５及び図６に示すように、蓋の上方の前面板６２の所定の部分は内側にバーリング９され、このバーリングの内筒には雌ねじ孔が形成されている。
【００２６】
また、蓋の下方の前面板の所定の部分の２ヵ所も内側にバーリング９され、この内筒部にも雌ねじ孔が形成されている。
【００２７】
更に、身と蓋とが組み合わされたときこれらの雌ねじ孔と整合する身の前面板６１の３ヵ所の部分には、図４に示すように、上方から順に、２ヵ所のねじの挿通孔、及び最下の皿付のねじ挿通孔が夫々形成されている。
【００２８】
なお、図４、図６および図７に示すように、身の上片１ｂ、下片１ｄの前方の延伸部分は夫々上方および下方に９０度折り曲げられ、前記連結片５（図１参照）が形成されているのは従来の錠箱と同じである。
【００２９】
上記のように構成された身１及び蓋２は、内側に錠止部材及び係止部材を組み込み、折り曲げ部分に突設された突起及び係合切欠を相互に係合させ、身と蓋の前面板６１、６２を相互に接合させた状態で、図７に示すように、最下のバーリング加工部を利用して前面板６１、６２をねじにより結合する。
【００３０】
なお、この発明における錠箱においても、従来の錠箱と同様に、複数の支柱１３、１３（図７参照）を利用して、側板の中央部を複数箇所でねじ止めして結合する。
【００３１】
次いで、図７及び図８に示すように、前面板の上二つのバーリング部を利用して、２個のねじによりフロント板３と前面板６１、６２をねじ１１結合する。
【００３２】
また、図示の実施例では、フロント板３の上下端部のねじ孔１２の部分をばーりんぐ加工し、この部分を連結片５の開口部にかしめることによって、錠箱とフロント板３との結合を更に強固にしている。
【００３３】
ちなみに、上記のようにして組み立てられた錠箱は、扉の自由側端縁に形成された縦長の開口に錠箱の部分を挿入し、フロント板３の上下端部に開口しているねじ孔１２を利用して扉の自由側端縁にねじ止めされる。
【００３４】
なお、図示の実施例では、前面板６１、６２の結合及び前面板とフロント板３の結合をねじにより行うものとし、また、ねじ止めが現在実際的な結合方法として採用されているが、かしめ、或いは接着剤による結合が不可能である、ということではない。
【００３５】
上記のように構成されたこの発明の一実施例による錠箱は、従来は板状であった蓋を一面が開口した箱状に成形したので、断面波形の板が平らな板と比較して格段に曲げ剛性が大きいと同じ理由で、曲げ剛性が従来のものと比較して格段に大きくなる。
【００３６】
曲げ剛性は、錠箱に加えられた曲げモーメントと変形量との比であるから、剛性が大きくなったということは強度が向上したと同義である。
【００３７】
一方、ねじ１１を剪断させようとする力に対向する強度は、そもそも錠箱が扉内に埋設されているので、そのような方向の力を錠箱が受ける筈がなく問題にならない。
【図面の簡単な説明】
【００３８】
【図１】従来の錠箱の構造を説明するため構成要素を展開して示す線図的外観斜視図。
【図２】身の側面図。
【図３】身の平面図。
【図４】身の正面図。
【図５】蓋の側面図。
【図６】身と蓋とを分離して示す錠箱の背面図。
【図７】フロント板と結合された錠箱の一部断面側面図。
【図８】フロント板の正面図。
【符号の説明】
【００３９】
１  身
２  蓋
３  フロント板
４  ボルト孔
５  連結片
７  デッドボルト
８  ラッチボルト
９  バーリング
１１  ねじ
１２  ねじ孔
【図１】
2005139684.tif 000003
【図２】
2005139684.tif 000004
【図３】
2005139684.tif 000005
【図４】
2005139684.tif 000006
【図５】
2005139684.tif 000007
【図６】
2005139684.tif 000008
【図７】
2005139684.tif 000009
【図８】
2005139684.tif 000010